(57)【要約】  キャップ脱着時にルアーノズル及びルアーロック部の密封性が同時にブレークすると、外し易さが劣り、シリンジ内の薬液の漏れが多くなる。  先端用キャップ１０は、一方側に頂面１５を有する厚肉円盤状の基部１１と、基部１１の頂面１５と厚み方向に反対側の他方側から突出形成され、ルアーノズルを少なくともその内周面で被覆密封するための円筒状の内筒部１３と、基部１１の頂面１５と厚み方向に反対側の他方側から内筒部をとり囲むように同軸に突出形成され、ルアーロックを被覆密封するための円筒状の外筒部１４とを備える。外筒部１４は、その内周面１４１がルアーロックを被覆し、その外周面は基部１１の外周面とつながってキャップの外周面１７を構成している。キャップの外周面には、外筒部の根元よりも頂面寄りの位置に、円周方向に延びる円環状の溝１８が形成されている。
2019111613.tif 000002
【特許請求の範囲】
【請求項１】
先端部にルアーノズル及びルアーロックを備えるシリンジに適用される先端用キャップであって、
一方側に頂面を有する厚肉円盤状の基部と、
前記基部の頂面と厚み方向に反対側の他方側から突出形成され、ルアーノズルを少なくともその内周面で被覆密封するための円筒状の内筒部と、
前記基部の頂面と厚み方向に反対側の他方側から前記内筒部をとり囲むように同軸に突出形成され、ルアーロックを被覆密封するための円筒状の外筒部とを備え、これら基部、内筒部及び外筒部は弾性材料で一体的に成形されており、
前記外筒部は、その内周面がルアーロックを被覆し、その外周面は前記基部の外周面とつながってキャップの外周面を構成しており、
前記キャップの外周面には、前記外筒部の根元よりも前記頂面寄りの位置に、円周方向に延びる円環状の溝が形成されていることを特徴とする、先端用キャップ。
【請求項２】
前記基部の頂面には、前記内筒部の内径よりも大径で、かつ、前記外筒部の内径よりも小径の寸法をした、前記基部の厚み方向に窪まされた凹所が形成されていることを特徴とする、請求項１に記載の先端用キャップ。
【請求項３】
前記外筒部の外径は、前記基部の最大外径に比べて小さくされていることを特徴とする、請求項２に記載の先端用キャップ。
【請求項４】
前記内筒部の根元には、前記内筒部の内周面とつながった内筒天面が前記基部によって形成されており、
前記外筒部の根元には、前記外筒部の内周面及び前記内筒部の外周面とつながった外筒天面が前記基部によって形成されており、
キャップの軸線方向にみて、前記内筒天面は前記外筒天面に比べて前記基部の頂面に近い位置とされており、かつ、前記内筒天面及び前記外筒天面は、キャップの軸線方向にみた離間距離が１．５ｍｍ以下に設定されていることを特徴とする、請求項１〜３のいずれか一項に記載の先端用キャップ。
【請求項５】
前記円環状の溝は、キャップの軸線方向にみて、前記内筒天面と一致する位置に形成されていることを特徴とする、請求項４に記載の先端用キャップ。
【請求項６】
キャップの軸線方向にみて、前記凹所と前記溝との距離が、キャップの軸線方向に垂直な方向における前記内筒部の内周面と前記溝との距離よりも小さくされていることを特徴とする、請求項２に記載の先端用キャップ。
【請求項７】
前記溝の深さが、前記外筒部の内周面及び外周面間の距離（外筒部の厚み）の２０％以上５０％以下にされていることを特徴とする、請求項１〜６のいずれか一項に記載の先端用キャップ。
【請求項８】
前記内筒部が前記基部から突出する突出寸法は、前記外筒部が前記基部から突出する突出寸法に比べて短くされていることを特徴とする、請求項３に記載の先端用キャップ。
【発明の詳細な説明】
【技術分野】
【０００１】
本発明は、シリンジの先端用キャップに関し、特に、ルアーノズル及びルアーロックを備えるシリンジに適用される先端用キャップに関する。
【背景技術】
【０００２】
先端部にルアーノズル及びルアーロックを備えたシリンジが公知であり、係るシリンジに適用される先端用キャップが種々提案されている。【０００３】
特許文献１には、薬液吐出部密封キャップとして肉厚天面部と、外筒部と、内筒部とを有し、内筒部とルアーノズルとの接触部の長さより、外筒部とルアーロック部の接触部の長さが、短いものが提案されている（特許文献１の［要約］を参照）。【０００４】
また、特許文献２には、シールキャップ（６３）の内周面（６３１）を先端ノズル（２１）に密着させ、外筒カバー（６２）でルアーロック部（２２）の外周側を覆うキャップであって、シールキャップ（６３）によるシール長さ（Ｓ）を比較的短い所定長さとしたキャップが開示されている（特許文献２の［要約］を参照）。
【先行技術文献】
【特許文献】
【０００５】
【特許文献１】特許第５２６５６６６号公報
【特許文献２】ＷＯ２０１０／０２４２０９号公報
【発明の概要】
【発明が解決しようとする課題】
【０００６】
従来の先端用キャップは、キャップ内筒部がシリンジのルアーノズルを密封可能となるように形成され、キャップ外筒部はルアーロックとの接触部で密封可能となるように形成されている。そして、キャップ脱着時に、ルアーノズル及びルアーロック部の密封性が同時にブレークする構成である。【０００７】
ところが、キャップ脱着時にルアーノズル及びルアーロック部の密封性が同時にブレークすると、脱着する際の外し易さが劣り、また、シリンジ内の薬液の漏れが多くなるという課題がある。【０００８】
本発明は、上記の課題を解決するためになされたものであり、シリンジ先端を密封でき、脱着が容易な改良された先端用キャップを提供することを目的とする。
【課題を解決するための手段】
【０００９】
本発明の一実施形態に係る先端用キャップは、一方側に頂面を有する厚肉円盤状の基部と、前記基部の頂面と厚み方向に反対側の他方側から突出形成され、ルアーノズルを少なくともその内周面で被覆密封するための円筒状の内筒部と、前記基部の頂面と厚み方向に反対側の他方側から前記内筒部をとり囲むように同軸に突出形成され、ルアーロックを被覆密封するための円筒状の外筒部とを備え、これら基部、内筒部及び外筒部は弾性材料で一体的に成形されており、前記外筒部は、その内周面がルアーロックを被覆し、その外周面は前記基部の外周面とつながってキャップの外周面を構成しており、前記キャップの外周面には、前記外筒部の根元よりも前記頂面寄りの位置に、円周方向に延びる円環状の溝が形成されていることを特徴とする。【００１０】
また、本発明の先端用キャップには、前記基部の頂面には、前記内筒部の内径よりも大径で、かつ、前記外筒部の内径よりも小径の寸法をした、前記基部の厚み方向に窪まされた凹所が形成されていてもよい。【００１１】
本発明の先端用キャップは、前記外筒部の外径は、前記基部の最大外径に比べて小さくされていてもよい。【００１２】
本発明の先端用キャップは、前記内筒部の根元には、前記内筒部の内周面とつながった内筒天面が前記基部によって形成されており、前記外筒部の根元には、前記外筒部の内周面及び前記内筒部の外周面とつながった外筒天面が前記基部によって形成されており、キャップの軸線方向にみて、前記内筒天面は前記外筒天面に比べて前記基部の頂面に近い位置に設けられており、かつ、前記内筒天面及び前記外筒天面は、キャップの軸線方向にみた離間距離が１．５ｍｍ以下に設定されていてもよい。【００１３】
本発明の先端用キャップは、前記円環状の溝は、キャップの軸線方向にみて、前記内筒天面と一致する位置に形成されていてもよい。【００１４】
本発明の先端用キャップは、キャップの軸線方向にみて、前記凹所と前記溝との距離が、キャップの軸線方向に垂直な方向における前記内筒部の内周面と前記溝との距離よりも小さくされていてもよい。【００１５】
本発明の先端用キャップは、前記溝の深さが、前記外筒部の内周面及び外周面間の距離（外筒部の厚み）の２０％以上５０％以下にされていてもよい。【００１６】
本発明の先端用キャップは、前記内筒部が前記基部から突出する突出寸法は、前記外筒部が前記基部から突出する突出寸法に比べて短くされていてもよい。
【発明の効果】
【００１７】
本発明によれば、キャップの外周面に円環状の溝を形成することにより、外筒部が内筒部に比べて変形しやすくなっている。このため、外筒部によるルアーロックの密封性が解除されやすく、先端用キャップを脱着する際の抵抗が減り、外し易くなって、薬液の漏れも生じにくい。【００１８】
また、基部の頂面に凹所を設けることにより、先端用キャップ全体、すなわち内筒部及び外筒部が変形しやすくなり、先端用キャップの脱着をより容易にできて、薬液の漏れも生じにくい。
【図面の簡単な説明】
【００１９】
【図１】図１は、本発明の一実施形態に係る先端用キャップの正面図である。
【図２】図２は、本発明の一実施形態に係る先端用キャップの平面図である。
【図３】図３は、本発明の一実施形態に係る先端用キャップの中央部縦断面図であり、図２のＡ−Ａに沿う縦断面部である。
【図４】図４は、試験方法を示す図解図である。
【発明を実施するための形態】
【００２０】
以下では、本発明の一実施形態について具体的に説明をする。
【００２１】
図１は、本発明の一実施形態に係る先端用キャップ１０の正面図であり、図２は先端用キャップ１０の平面図である。また、図３は、図２のＡ−Ａに沿う先端用キャップ１０の縦断面である。
【００２２】
図１〜３を参照して、先端用キャップ１０は、平面視が円形で（図２）、正面視が略矩形をし（図１）、上方に厚肉円盤状の基部１１を有し、下方に開口１２を有し、円筒状の内筒部１３及び円筒状の外筒部１４を備える形態をしている（図３）。
【００２３】
先端用キャップ１０は、ルアーノズル及びルアーロックが先端部に備えられたシリンジ（図示せず）の当該先端部に装着され、シリンジ先端部を密封するためのものである。
【００２４】
先端用キャップ１０は、ゴム又はエラストマー等の弾性材料により、一例として、金型を用いた真空プレス等によって一体成形される。
【００２５】
先端用キャップ１０の基部１１は、厚肉円盤状で、平面視が円形をし、その一方側（上方）が頂面１５となっている。基部１１の頂面１５には、凹所１６が形成されている。凹所１６は、平面視で頂面１５の外周縁と同心状をなす円形である。凹所１６は、後述する内筒部１３の内径よりも大径で、かつ、外筒部１４の内径よりも小径の直径を有する。また、凹所１６は、基部１１の厚み方向に窪んでおり、一例として、０．５ｍｍ〜１．０ｍｍ程度の深さとされている。
【００２６】
基部１１の頂面１５には、例えば５個の小突起１９が突設されている。小突起１９は、頂面１５の外周縁と凹所１６の外周円とで区画されたリング状の平面上に、均等角度位置に分配されるように形成されている。小突起１９は、頂面１５が平板等に密着するのを防止する役目をする。
【００２７】
先端用キャップ１０の内筒部１３は、基部１１の頂面１５と基部１１の厚み方向に反対側の他方側（下方）から突出形成されている。内筒部１３は、ルアーノズル（図示せず）の外周面を被覆して密封するための内筒内周面１３１と、ルアーノズルの先端を被覆して密封するための内筒天面１３２とを有している。内筒天面１３２は、内筒部１３の根元につながった基部１１によって形成されている。
【００２８】
先端用キャップ１０の外筒部１４も、基部１１の頂面１５と基部１１の厚み方向に反対側の他方側（下方）から突出形成されている。外筒部１４は内筒部１３と同軸に突出形成されており、内筒部１３の周囲を所定間隔を空けてとり囲んでいる。この実施形態では、内筒部１３の突出寸法（内筒内周面１３１ のキャップ軸線方向寸法）は、例えば５．０ｍｍとされ、外筒部１４の突出寸法（外筒部１４の内周面のキャップ軸線方向寸法）は、例えば７．０ｍｍとされていて、内筒部１３の突出寸法は相対的に小さく、外筒部１４の突出寸法は相対的に大きくされている。よって、外観上は、正面視において、外筒部１４のみが表れている。
【００２９】
外筒部１４は、ルアーロック（図示せず）の外周面を被覆して密封するための外筒内周面１４１を有する。
【００３０】
なお、ルアーロックのＩＳＯ５９４−２による規格の関係上、外筒内周面１４１の根元側（上方側）はルアーロックとは接触せず、開口１２側（下方側）だけがルアーロックの外周面を被覆して密封する。
【００３１】
また、外筒内周面１４１は、その根元側（奥側）が、内筒部１３の内筒外周面１３３と外筒天面１４２によってつながっている。外筒天面１４２は、外筒部１４の根元につながった基部１１によって形成されている。
【００３２】
ここで、この実施形態では、キャップ軸線方向にみたときの内筒天面１３２と外筒天面１４２との距離Ａが、Ａ＝１．５ｍｍ以下とされている。
【００３３】
この理由は、シリンジ先端のルアーロック及びルアーノズルの構造は、ＩＳＯ５９４−２による規格があり、当該規格では、ルアーノズル先端とルアーロック先端とのシリンジ軸方向の距離が２．１ｍｍと規定されている。そして、この距離はシリンジのサイズ（容量）に依らないとされている。
【００３４】
そこで、この実施形態では、内筒天面１３２と外筒天面１４２との距離ＡをＡ＝１．５ｍｍ以下に設定し、先端用キャップ１０をシリンジに装着した状態において、ルアーロックの先端が外筒天面１４２に接触することを余裕をもって回避する構成とした。そして、外筒内周面１４１の開口側でのみルアーロックの外周面を被覆密封するようにして、ルアーロックの密封性を低くし、先端用キャップ１０を取り外す際に、ルアーロックの密封性がルアーノズルの密封性に比べてブレークしやすい構成としているものである。
【００３５】
外筒部１４の外周面は、基部１１の外周面とつながって、この先端用キャップ１０全体の外周面１７を構成している。
【００３６】
この実施形態においては、基部１１は、上方（頂面１５側）の外径が相対的に大きくされ（一例として、φ＝１４．５ｍｍ）、下方（頂面１５と反対側）の外径が相対的に小さくされて（一例として、φ＝１３．６ｍｍ）、その外周面が二段形状となっている。
【００３７】
そして、外筒部１４の外周面は基部１１の下方の外周面と面一につながっていて、キャップ全体の外周面１７となっている。
【００３８】
この実施形態における特徴の一つは、キャップの外周面１７における外筒部１４の根元よりも頂面１５寄りの位置に、円周方向に延びる円環溝１８が形成されていることである。
【００３９】
円環溝１８は、一例として、キャップ軸線方向の幅が０．８ｍｍ程度、深さが０．３ｍｍ〜０．７５ｍｍ程度の溝とされている。
【００４０】
また、円環溝１８は、キャップ軸線方向にみて、内筒天面１３２と一致する位置に形成されている。
【００４１】
係る円環溝１８を外周面１７に設けることにより、外筒部１４が円環溝１８を基点にして変形しやすくなるという効果を奏する。一方、円環溝１８は、内筒部１３の変形性にはさほど影響を与えない。よって、キャップ脱着時のルアーノズルおよびルアーロックの密封性のブレークにタイミング差を生じさせ、キャップを外し易くするという効果を奏する。
【００４２】
円環溝１８について、さらに説明する。円環溝１８は、その深さが外筒部１４の内周面１４１及び外周面１７間の距離（すなわち、外筒部１４の厚み）の２０％以上５０％以下にするのが望ましい。係る深さとすることにより、外筒部１４は円環溝１８を基点に変形しやすくなり、かつ、外筒部１４の内周面１４１でルアーロックを被覆密封するための一定の弾性保持力を確保することができる。
【００４３】
また、円環溝１８と、基部１１の頂面１５に形成した凹所１６とは、キャップ軸線方向にみたときの距離をＹとし、キャップ軸線方向に垂直な方向における円環溝１８と内筒部内周面１３１との距離をＸとすると、Ｙ＜Ｘとされている。係る寸法設定にすることにより、先端用キャップ１０の脱着時に、基部１１自体が変形して先端用キャップ１０を外し易くすると共に、円環溝１８の作用により、外筒部１４の内周面１４１がルアーロックの密封性をブレークするタイミングを早められるという効果を奏する。
【実施例】
【００４４】
＜製造＞
図１〜図３に示す形態をした先端用キャップを製造した。【００４５】
製造方法は、弾性材料として塩素化ブチルゴム：ＨＴ１０６６（日本ブチル株式会社）を主成分とするゴム組成物を用い、１６０℃／１５分にて真空プレスで成形することにより行った。【００４６】
製造した先端用キャップは、
実施例１：Ａ（内筒天面１３２と外筒天面１４２との距離）が、１．０ｍｍ、
凹所１６を有する。
円環溝１８を有する。【００４７】
実施例２：Ａ（内筒天面１３２と外筒天面１４２との距離）が、１．５ｍｍ、
凹所１６を有する。
円環溝１８を有する。【００４８】
比較例１：Ａ（内筒天面１３２と外筒天面１４２との距離）が、２．０ｍｍ、
凹所１６を有する。
円環溝１８を有する。【００４９】
比較例２：Ａ（内筒天面１３２と外筒天面１４２との距離）が、１．０ｍｍ、
凹所１６を有さない。
円環溝１８を有さない。
という４種類とした。【００５０】
【表１】
2019111613.tif 000003
【００５１】
＜試験＞
容量５ｍＬのシリンジ（先端部にルアーノズル及びルアーロックを備えるシリンジ）に製造した実施例１、２、比較例１、２の各先端用キャップを装着し、２．５ｍＬの試験溶液を充填した。そして、シリンジの後方側からガスケットを真空打栓し、試料とした。【００５２】
試料を用い、図４（Ａ）又は（Ｂ）に示す２通りの方法で先端用キャップを外す際の試験溶液の漏出量を測定した。【００５３】
漏出量は、先端用キャップを外した直後のキャップ重量（ａ）と、試験前のキャップ重量（ｂ）の差から算出し、試料６個（Ｎ＝６）の平均値を漏出量とした。【００５４】
脱着性については、感応試験で５段階で評価し、５点を最も良好とした。
＜試験結果＞【００５５】
【表２】
2019111613.tif 000004
【産業上の利用可能性】
【００５６】
本発明は、医療器具であるシリンジの先端に装着する先端用キャップとして有効に利用できる。【００５７】
本出願は、２０１７年１２月６日に日本国特許庁に提出された特願２０１７−２３４２８７号に対応しており、この出願の全開示はここに引用により組み込まれるものとする。
【符号の説明】
【００５８】
１０    先端用キャップ
１１    基部
１２    開口
１３    内筒部
１３１  内周面
１３２  天面
１３３  外周面
１４    外筒部
１４１  内周面
１４２  天面
１５    頂面
１６    凹所
１７    外周面
１８    円環溝
【図１】
2019111613.tif 000005
【図２】
2019111613.tif 000006
【図３】
2019111613.tif 000007
【図４】
2019111613.tif 000008
【国際調査報告】
2019111613.tif 000009
2019111613.tif 000010
2019111613.tif 000011
2019111613.tif 000012